【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
無線ダウンリンクで基地局から端末へデータを送信し、無線アップリンクで前記端末から前記基地局へデータを送信する無線アクセス・ネットワークを含む無線通信システムにおいて、
前記端末が前記基地局からの別のレート許可なしに使用できる前記無線アップリンク上のデータ・レートの上限を指定する第１のしきい値を受信し、
無線アップリンク上で、前記無線アップリンク上のデータ・レートを第２のしきい値の限度内で変更することを要求するレート要求を前記端末から前記基地局に送信し、
前記基地局から受信したレート許可であって、前記無線アップリンク上の前記データ・レートが前記レート要求で要求されるように変更できるか否かを示す前記レート許可に応答して、前記レート許可に従って前記無線アップリンク上のデータ・レートを変更するように適合されたことを特徴とする端末。
【請求項２】
前記端末が無線アップリンクでデータと共に前記レート要求を送信することを特徴とする、請求項１に記載の端末。
【請求項３】
前記端末が前記無線ダウンリンクで前記基地局から前記レート許可を受信することを特徴とする、請求項１に記載の端末。
【請求項４】
前記端末が周期的に前記レート要求を送信することを特徴とする、請求項１に記載の端末。
【請求項５】
前記端末がＴＴＩごとに前記レート要求を送信することを特徴とする、請求項４に記載の端末。
【請求項６】
前記端末が、前記端末内にイベント発生があると前記レート要求を送信することを特徴とする、請求項１に記載の端末。
【請求項７】
前記端末の送信バッファが指定の限度を超えると前記端末が前記レート要求を送信することを特徴とする、請求項６に記載の端末。
【請求項８】
前記レート要求が、前記無線アップリンク上のデータ・レートを増加させるよう要求し、前記基地局から受信したレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項１に記載の端末。
【請求項９】
前記端末が、前記基地局からの別のレート許可なしに、前記第１のしきい値によって規定される前記無線アップリンク上のデータ・レートの前記上限より大きいデータ・レートから、前記無線アップリンク上のデータ・レートを減少させることができることを特徴とする、請求項８に記載の端末。
【請求項１０】
前記端末が前記基地局からＲＲＣシグナリングでパラメータまたは他の情報を受信し、前記パラメータまたは他の情報が前記第１のしきい値を示すことを特徴とする、請求項１に記載の端末。
【請求項１１】
前記端末と前記基地局との間の前記エア・インタフェースが広帯域符号分割多元接続（ＷＣＤＭＡ）であることを特徴とする、請求項１に記載の端末。
【請求項１２】
無線通信ネットワークであって、
複数のアクセス端末と、
少なくとも１つの基地局と、を備え、
前記少なくとも１つの基地局は、前記少なくとも１つの基地局からの別のレート許可なしに、第１のしきい値より小さいデータ・レートで、下りトラフィックチャネル上で前記複数のアクセス端末の各々にデータを送信し、上りトラフィックチャネル上で前記複数のアクセス端末の各々からデータを受信し、
前記複数のアクセス端末の少なくとも１つは、前記少なくとも１つの基地局からのレート許可なしに前記上りトラフィックチャネル上の最大データ・レートを示す第１のしきい値と、第２のしきい値とを備え、前記基地局に要求メッセージを送信し、前記要求メッセージは前記上りトラフィックチャネル上のデータ・レートを第２のしきい値の限度内で第１のしきい値より大きいデータ・レートに増加させることを要求し、
前記基地局は、前記複数のアクセス端末の前記少なくとも１つからの前記要求メッセージに応答して、前記複数のアクセス端末の前記少なくとも１つに許可メッセージを送信し、前記許可メッセージが、前記複数のアクセス端末の前記少なくとも１つが前記基地局が許可できる前記第２のしきい値に制限される前記上りトラフィックチャネル上のデータ・レートを前記第１のしきい値より大きいデータ・レートに変更できるか否かを示すことを特徴とする無線通信ネットワーク。
【請求項１３】
前記複数のアクセス端末の前記少なくとも１つが前記上りトラフィックチャネルでデータと共に要求メッセージを送信することを特徴とする、請求項１２に記載の無線通信ネットワーク。
【請求項１４】
前記基地局が前記下りトラフィックチャネルで前記許可メッセージを送信することを特徴とする、請求項１２に記載の無線通信ネットワーク。
【請求項１５】
前記基地局によって送信される前記許可メッセージが前記基地局で受信する干渉状態に依存することを特徴とする、請求項１２に記載の無線通信ネットワーク。
【請求項１６】
前記基地局によって送信される前記許可メッセージが、基地局で導出および／または測定されるトラフィック・メトリクスに依存することを特徴とする、請求項１２に記載の無線通信ネットワーク。
【請求項１７】
前記ネットワークが基地局制御装置をさらに備え、前記基地局によって送信される前記許可メッセージが、前記基地局制御装置から前記基地局に送信されるトラフィック・メトリクスに依存することを特徴とする、請求項１２に記載の無線通信ネットワーク。
【請求項１８】
前記要求メッセージが、前記上りトラフィックチャネル上のデータ・レートを増加させるよう要求し、前記上りトラフィックチャネル上の前記データ・レートが前記要求メッセージで要求されるように増加できることを示す前記基地局から受信する許可メッセージに応答して、前記許可メッセージに従って前記上りトラフィックチャネル上の前記データ・レートを増加させることを特徴とする、請求項１２に記載の無線通信ネットワーク。
【請求項１９】
前記基地局からの別の許可メッセージなしに、前記アクセス端末が前記上りトラフィックチャネル上のデータ・レートを減少させることを特徴とする、請求項１８に記載の無線通信ネットワーク。
【請求項２０】
前記アクセス端末と前記基地局との間の前記エア・インタフェースが広帯域符号分割多元接続（ＷＣＤＭＡ）であることを特徴とする、請求項１２に記載の無線通信ネットワーク。
【請求項２１】
前記複数のアクセス端末の前記少なくとも１つが、前記上りトラフィックチャネル上のデータ・レートを制限する前記第１および第２のしきい値を備え、前記アクセス端末によって送信される前記レート要求が前記第２のしきい値に制限されることを特徴とする、請求項１２に記載の無線通信ネットワーク。
【請求項２２】
前記複数のアクセス端末の各々が前記上りトラフィックチャネル上のデータ・レートを制限する前記第１および第２のしきい値を備え、前記基地局が、前記複数のアクセス端末のいずれか１つからのレート要求に応答して前記複数のアクセス端末の各々から上りトラフィックチャネル上のデータ・レートを制御することを特徴とする、請求項２１に記載の無線通信ネットワーク。
【請求項２３】
下りトラフィックチャネル上でアクセス端末にデータを送信し、下りトラフィックチャネル上でアクセス端末からデータを受信し、上りトラフィックチャネル上で前記アクセス端末からデータを受信する基地局を含む無線通信ネットワークにおいて、
上りトラフィックチャネル上のデータ・レートを、前記基地局からの別のレート許可なしに適用可能な第１のしきい値より小さいデータ・レートから、第１のしきい値より大きいデータ・レートに変更するよう要求する要求メッセージを前記アクセス端末から前記基地局に送信するステップと、
前記アクセス端末からの前記要求メッセージに応答して、前記アクセス端末が前記基地局が許可できる第２のしきい値に制限される上りトラフィックチャネル上のデータ・レートを前記第１のしきい値より大きいデータ・レートに変更できるか否かを示す許可メッセージを前記基地局から前記アクセス端末に送信するステップと、を含むことを特徴とする方法。
【請求項２４】
前記アクセス端末が上りトラフィックチャネルでデータと共に前記要求メッセージを送信することを特徴とする、請求項２３に記載の方法。
【請求項２５】
前記基地局が前記下りトラフィックチャネルで前記許可メッセージを送信することを特徴とする、請求項２３に記載の方法。
【請求項２６】
前記基地局によって送信される前記許可メッセージが前記基地局で受信する干渉状態に依存することを特徴とする、請求項２３に記載の方法。
【請求項２７】
前記基地局によって送信される前記許可メッセージが、前記基地局で導出および／または測定されるトラフィック・メトリクスに依存することを特徴とする、請求項２３に記載の方法。
【請求項２８】
前記基地局によって送信される前記許可メッセージが、基地局制御装置から前記基地局に送信されるトラフィック・メトリクスに依存することを特徴とする、請求項２３に記載の方法。
【請求項２９】
前記アクセス端末と前記基地局との間のエア・インタフェースが広帯域符号分割多元接続（ＷＣＤＭＡ）であることを特徴とする、請求項２３に記載の方法。
【請求項３０】
前記アクセス端末が上りトラフィックチャネル上のデータ・レートを制限する２つのしきい値を備え、前記アクセス端末によって送信される要求メッセージが前記２つのしきい値の１つに制限されることを特徴とする、請求項２３に記載の方法。
【請求項３１】
前記要求メッセージが前記上りトラフィックチャネル上のデータ・レートを増加させるよう要求し、前記基地局から受信する許可メッセージであって、前記上りトラフィックチャネル上の前記データ・レートが前記要求メッセージで要求されるように増加できることを示す許可メッセージに応答して、前記許可メッセージに従って前記上りトラフィックチャネル上の前記データ・レートを増加させることを特徴とする、請求項２３に記載の方法。
【請求項３２】
前記アクセス端末が前記基地局からの別の許可メッセージなしに前記上りトラフィックチャネル上のデータ・レートを減少させることができることを特徴とする、請求項３１に記載の方法。
【請求項３３】
無線通信ネットワークにおける基地局であって、
無線ダウンリンクで端末にデータを送信し、
無線アップリンクで前記端末からデータを受信し、
無線アップリンク上のデータ・レートを、前記基地局から別のレート許可なしに適用可能な第１のしきい値より小さいデータ・レートから第２のしきい値の限度内のデータ・レートに変更するよう要求するレート要求を前記端末から受信し、
前記端末からの前記レート要求に応答して、前記端末が前記無線アップリンク上のデータ・レートを変更できるか否かを示すレート許可を前記端末に送信するように適合されたことを特徴とする基地局。
【請求項３４】
前記基地局が無線アップリンクでデータと共に前記レート要求を受信することを特徴とする、請求項３３に記載の基地局。
【請求項３５】
前記基地局が前記無線ダウンリンクで前記レート許可を送信することを特徴とする、請求項３３に記載の基地局。
【請求項３６】
前記基地局によって送信される前記レート許可が前記基地局で受信する干渉状態に依存することを特徴とする、請求項３３に記載の基地局。
【請求項３７】
前記基地局によって送信される前記レート許可が、前記基地局で導出および／または測定されるトラフィック・メトリクスに依存することを特徴とする、請求項３３に記載の基地局。
【請求項３８】
前記基地局によって送信される前記レート許可が、基地局制御装置から前記基地局に送信されるトラフィック・メトリクスに依存することを特徴とする、請求項３３に記載の基地局。
【請求項３９】
前記端末と前記基地局との間のエア・インタフェースが広帯域符号分割多元接続（ＷＣＤＭＡ）であることを特徴とする、請求項３３に記載の基地局。
【請求項４０】
前記基地局が無線アップリンク上のデータ・レートを制限する前記第１および第２のしきい値を備え、前記端末によって送信される前記レート要求が前記第２のしきい値に制限されることを特徴とする、請求項３３に記載の基地局。
【請求項４１】
前記レート要求が前記無線アップリンク上のデータ・レートを増加させるよう要求し、前記基地局から受信するレート許可であって、前記無線アップリンク上の前記データ・レートが前記レート要求で要求されるように増加できることを示すレート許可に応答して、前記レート許可に従って前記無線アップリンク上の前記データ・レートを増加させることを特徴とする、請求項３３に記載の基地局。
【請求項４２】
無線通信ネットワークで使用するアクセス端末であって、
下りトラフィックチャネルで基地局からデータを受信し、上りトラフィックチャネルで前記基地局にデータを送信し、
前記少なくとも１つの基地局からのレート許可なしに前記上りトラフィックチャネル上の最大データ・レートを示す第１のしきい値と、第２のしきい値とを受信し、
前記上りトラフィックチャネル上のデータ・レートを前記第１のしきい値より大きいデータ・レートに増加させるよう要求する要求メッセージを前記基地局に送信し、
前記アクセス端末が、前記基地局が許可できる前記第２のしきい値に制限される前記上りトラフィックチャネル上のデータ・レートを、前記第１のしきい値より大きいデータ・レートに変更できるか否かを示す許可メッセージを前記基地局から受信するように適合されたことを特徴とするアクセス端末。
【請求項４３】
前記アクセス端末が上りトラフィックチャネルでデータと共に前記要求メッセージを送信することを特徴とする、請求項４２に記載のアクセス端末。
【請求項４４】
前記要求メッセージが前記上りトラフィックチャネル上のデータ・レートを増加させるよう要求し、前記基地局から受信する許可メッセージであって、前記上りトラフィックチャネル上の前記データ・レートが前記要求メッセージで要求されるように増加できることを示す許可メッセージに応答して、前記アクセス端末が前記許可メッセージに従って前記上りトラフィックチャネル上の前記データ・レートを増加させることを特徴とする、請求項４２に記載のアクセス端末。
【請求項４５】
前記アクセス端末が前記基地局からの別の許可メッセージなしに前記上りトラフィックチャネル上のデータ・レートを減少させることができることを特徴とする、請求項４２に記載のアクセス端末。
【請求項４６】
無線通信ネットワークで使用する基地局であって、
下りトラフィックチャネルで複数のアクセス端末にデータを送信し、上りトラフィックチャネルで前記複数のアクセス端末の各々からデータを受信し、
前記基地局からのレート許可なしに前記上りトラフィックチャネル上の最大データ・レートを示す第１のしきい値と、前記基地局が許可できる前記上りトラフィックチャネル上の最大データ・レートを示す第２のしきい値とを受信し、
前記上りトラフィックチャネル上のデータ・レートを前記第１のしきい値より大きいデータ・レートに増加させるよう要求する要求メッセージをアクセス端末から受信し、
前記アクセス端末からの前記要求メッセージに応答して、前記アクセス端末が、前記基地局が許可できる前記第２のしきい値に制限される前記上りトラフィックチャネル上のデータ・レートを、前記第１のしきい値より大きいデータ・レートに変更できるか否かを示す許可メッセージを前記アクセス端末に送信するように適合されたことを特徴とする基地局。
【請求項４７】
前記基地局は、前記下りトラフィックチャネルで前記許可メッセージを送信することを特徴とする、請求項４６に記載の基地局。
【請求項４８】
前記基地局によって送信される前記許可メッセージが前記基地局で受信する干渉状態に依存することを特徴とする、請求項４６に記載の基地局。
【請求項４９】
前記基地局によって送信される前記許可メッセージが、前記基地局で導出および／または測定されるトラフィック・メトリクスに依存することを特徴とする、請求項４６に記載の基地局。
【請求項５０】
前記基地局によって送信される前記許可メッセージが、前記第３世代無線通信ネットワークにおいて基地局制御装置から前記基地局に送信されるトラフィック・メトリクスに依存することを特徴とする、請求項４６に記載の基地局。
【請求項５１】
無線通信ネットワークで使用するアクセス端末に格納されたモジュールであって、
下りトラフィックチャネルで基地局からデータを受信し、上りトラフィックチャネルで前記基地局にデータを送信する手段と、
前記少なくとも１つの基地局からのレート許可なしに前記上りトラフィックチャネル上の最大データ・レートを示す第１のしきい値と、第２のしきい値とを受信する手段と、
前記上りトラフィックチャネル上のデータ・レートを前記第１のしきい値より大きいデータ・レートに増加させるよう要求する要求メッセージを前記基地局に送信する手段と、
前記アクセス端末が、前記基地局が許可できる前記第２のしきい値に制限される前記上りトラフィックチャネル上のデータ・レートを、前記第１のしきい値より大きいデータ・レートに変更できるか否かを示す許可メッセージを前記基地局から受信する手段とを具備することを特徴とするアクセス端末用モジュール。
【請求項５２】
前記アクセス端末が上りトラフィックチャネルでデータと共に前記要求メッセージを送信する手段をさらに具備することを特徴とする、請求項５１に記載のアクセス端末用モジュール。
【請求項５３】
前記要求メッセージが前記上りトラフィックチャネル上のデータ・レートを増加させるよう要求し、前記基地局から受信する許可メッセージであって、前記上りトラフィックチャネル上の前記データ・レートが前記要求メッセージで要求されるように増加できることを示す許可メッセージに応答して、前記アクセス端末が前記許可メッセージに従って前記上りトラフィックチャネル上の前記データ・レートを増加させることを特徴とする、請求項５１に記載のアクセス端末用モジュール。
【請求項５４】
前記アクセス端末が前記基地局からの別の許可メッセージなしに前記上りトラフィックチャネル上のデータ・レートを減少させる手段をさらに具備することを特徴とする、請求項５１に記載のアクセス端末用モジュール。
【請求項５５】
無線通信ネットワークで使用する基地局に格納されたモジュールであって、
下りトラフィックチャネルで複数のアクセス端末にデータを送信し、上りトラフィックチャネルで前記複数のアクセス端末の各々からデータを受信する手段と、
前記基地局からのレート許可なしに前記上りトラフィックチャネル上の最大データ・レートを示す第１のしきい値と、前記基地局が許可できる前記上りトラフィックチャネル上の最大データ・レートを示す第２のしきい値とを受信する手段と、
前記上りトラフィックチャネル上のデータ・レートを前記第１のしきい値より大きいデータ・レートに増加させるよう要求する要求メッセージをアクセス端末から受信する手段と、
前記アクセス端末からの前記要求メッセージに応答して、前記アクセス端末が、前記基地局が許可できる前記第２のしきい値に制限される前記上りトラフィックチャネル上のデータ・レートを、前記第１のしきい値より大きいデータ・レートに変更できるか否かを示す許可メッセージを前記アクセス端末に送信する手段とを具備することを特徴とする基地局用モジュール。
【請求項５６】
前記基地局用モジュールは、前記下りトラフィックチャネルで前記許可メッセージを送信する手段をさらに具備することを特徴とする、請求項５５に記載の基地局用モジュール。
【請求項５７】
前記基地局によって送信される前記許可メッセージが前記基地局で受信する干渉状態に依存することを特徴とする、請求項５５に記載の基地局用モジュール。
【請求項５８】
前記基地局によって送信される前記許可メッセージが、前記基地局で導出および／または測定されるトラフィック・メトリクスに依存することを特徴とする、請求項５５に記載の基地局用モジュール。
【請求項５９】
前記基地局によって送信される前記許可メッセージが、前記第３世代無線通信ネットワークにおいて基地局制御装置から前記基地局に送信されるトラフィック・メトリクスに依存することを特徴とする、請求項５５に記載の基地局用モジュール。